(57)【要約】      （修正有）【課題】家の周囲の雨水マスに、蚊が入り込まないよう、雨水マスの蓋に網を張ることで、蚊の産卵を完全に防ぐことができ、しかも、メンテナンスが不要な蚊の進入防止網を提供する。【解決手段】網４、４１の中央部を窪ませ、かつ窪みの底に、砂や小石８が下に落下する穴を設ける。窪みに沿って、砂や小石８は落下するかもしくは雨水の流れで下方へ下方へと流れるが、蚊がこの穴を通過できないよう、深く窪ませて絞りを設ける。【選択図】図１
0003195013.tif 000002
【実用新案登録請求の範囲】
【請求項１】
家屋の周囲の雨水マスまたは廃水ますの蓋の裏に設置して、蚊の通過をふせぐ網を｛蚊の侵入防止網｝とし、
｛蚊の侵入防止網｝の網目は蚊が通過できない程度の大きさであるとし、
｛蚊の侵入防止網｝の中央部の底の部分が抜けていることを第１の特徴とし、
底の抜けている部分を｛底穴｝とし、
｛蚊の侵入防止網｝の中央部は設置状態において、｛底穴｝へ通じる部分は細長く、下方に垂れ下がる形状であるとし、かつ、自然の状態で、細長い部分は網自信の性質によって底穴を塞ぐよう絞られている状態にあることを第２の特徴とし、
上記、細長く絞られた部分を｛細長く絞られた空洞部｝とし、
｛細長く絞られた空洞部｝は砂や小石が雨水とともに流れ込んだ場合には自然に拡がって砂や小石が下に落ちる性質を持つことを第３の特長とし、
｛蚊の侵入防止網｝の縁は雨水マスの蓋とその蓋を支える面の間に挟むことで、｛蚊の侵入防止網｝を設置できる大きさであることを第４の特徴とし、
｛蚊の侵入防止網｝の縁は雨水マスの蓋をはめ込む穴に収めるべく、蓋の外径形状に保つための縁を持つことを第５の特徴とし、
上記第１と第２と第３と｛第４と第５  のいずれか｝の特長を有するところの、雨水の葢の穴から蚊が出入りできない構造であって、かつ砂や小石などの固形物は雨水の流れとともに、自然に下に落とすことができる雨水マスの蓋の穴の｛蚊の侵入防止網｝
【請求項２】
請求項１の特長５に関連して、｛蚊の侵入防止網｝の縁は、｛雨水マスの蓋の雨水を流し込む穴の縁に掛かって穴の中に入り込まない形状と寸法｝であることを第６の特長とし、
請求項１に定義の第１と第２と第３の特長に加えて第６の特長を有するところの、雨水の排水口から蚊が出入りできない構造であって、かつ砂や小石などの固形物は雨水の流れとともに、自然に下に落とすことができる雨水排水口の蓋の穴の｛蚊の侵入防止網｝
【考案の詳細な説明】
【技術分野】
【０００１】
本考案は、一般家庭の雨水マスの蓋の穴から侵入し、産卵しようとする蚊を侵入しないようにするための網であって、砂や小石が網目に溜まらないようにする構造をもつ。
多くの住宅では雨水マスにボウフラが発生し、初夏から晩秋にかけての蚊対策は面倒な課題である。
日本は、市街地周辺部に一戸建て住宅が多い。建築や住居という観点からの建物の強度や安全性の完成度は高いが、廃水やカビや害虫や台所ゴミなどの、衛生面での完成度は高いとは言えない。
【背景技術】
【０００２】
定期的に薬品を使ってのボウフラ退治。
蚊取り線香を使うなど蚊よけ対策。
皮膚に蚊よけの薬を塗るなどの蚊よけ対策。
【０００３】
特開2011-058276
升蓋貫通孔カバー及びその製造方法
網ではあるが、溜まる砂や小石の対策はない
特開2004-285652
雨水マス
網ではあるが、溜まる砂や小石の対策はない
特開2003-013490
雨水マス汎用・防蚊ネット
網ではあるが、溜まる砂や小石の対策はない
特開平07-224458
防虫網付き雨水桝
網ではあるが、溜まる砂や小石の対策はない
特開平07-127120
桝の網付蓋
網ではあるが、溜まる砂や小石の対策はない
実登3179965
枡、会所のゴミ、土砂及び蚊の防止ネット
網ではあるが、溜まる砂や小石の対策はない
実登3103607
雨水マス用のボウフラ発生防止具
網ではあるが、溜まる砂や小石の対策はない
【考案の開示】
【考案が解決しようとする課題】
【０００４】
毎年、６月から１１月まで、子供が蚊に刺されて、個人差はあるものの、皮膚がただれて治療が必要なケースもある。このような状況は日本中の住宅地のあらゆるところで見受けられる。精密ではないが、調べたところ、雨水の排水のために設けた水を溜める場所が蚊の発生のおもな原因となっているケースが少なくない。２０１３年１０月から雨水を溜める部分の蓋の裏に網を設けたところ、２０１４年の夏、家の周りに集まる蚊が大雑把に見積もって三分の一程度に減った。ところが、蓋の裏に設けた網に大きめの砂や小石がたまり、網が垂れ下がっていることがわかった。一般的に、多くの人は｛網に溜まった砂や小石を取り除く｝この種類のメンテナンス作業を定期的に行うことは期待できない。できるだけ手間がかからない方法が望まれる。しかもコストがかかると完全な普及には限度がある。
【課題を解決するための手段】
【０００５】
網の中央部を窪ませ、なおかつ、くぼみの底を、砂や小石が下に落下する穴を設ける。窪みに沿って、砂や小石は落下する、か  もしくは雨水の流れで下方へ下方へと流れるが、蚊はこの穴を通過できないよう網の底に細長い絞りを設ける。
【考案の効果】
【０００６】
本考案は、以下に記載されるような効果を生む。
第１に、極めて簡単で安価な方法で、家の周囲の蚊の発生を防ぐことができる。
第２に、網に砂や小石が溜まることなく、一回の設置でこれまでと同様特別なメンテナンスの必要がない。網の耐用年数の間、メンテナンスは不要である。
第３に、化学薬品を使わないので、薬害への配慮が不要。環境への薬品による負荷もない。
【図面の簡単な説明】
【０００７】
【図１】本考案の一実施例の構造説明図
【図２】本考案の一実施例の構造説明図
【実施例】
【０００８】
以下、図面を用いた詳細説明。
図１は請求項１に記述の｛蚊の侵入防止網｝の一実施例である。
図１（a）の１は雨水マスの断面、２は雨水マスの葢の断面、３は雨水マスの穴、４は本考案の｛蚊の侵入防止網｝５は｛蚊の侵入防止網｝の縁、６は｛蚊の侵入防止網｝の中央部が自然の状態で絞られている状態を示す。
図１（ｂ）の図１（ａ）と同番号は同じものである。４１は｛蚊の侵入防止網｝であり、雨水と一緒に入り込んだ砂や小石によって、それらが下方へ落ちることにより底穴が開いた状態である。７はそれを示す。８は落下する砂や小石などである。
｛蚊の侵入防止網｝の中央部の底は自然の状態では絞られて細くなっていることから、底穴も絞られた状態にあり、蚊は侵入することができない。また逆に出ることもできない。
砂や小石などが流れ込むと、底穴の絞られた部分は自然に開き、砂や小石は下方に落下し、底穴の絞られた部分は元の状態に戻る。
【０００９】
図２は請求項２に記述の｛蚊の侵入防止網｝の一実施例である。
図２の図１と同番号は同じものである。４２は雨水マスの葢に設けた｛蚊の侵入防止網｝が自然の状態で底穴が絞られた状態を示す。４３は雨水マスの葢に設けた｛蚊の侵入防止網｝を砂や小石が下方に落下する状態を示す。５２は雨水マス４２の縁、５３は雨水マス４３の縁である。６は｛蚊の侵入防止網｝の底穴が自然の状態で絞られている状態を示す。７は｛蚊の侵入防止網｝の底穴の絞られた部分が、雨水と一緒に入り込んだ砂や小石によって、それらが下方へ落ちることにより底穴が開いた状態である。８は落下する砂や小石などである。
｛蚊の侵入防止網｝の中央部の底は自然の状態では絞られて細くなっていることから、底穴も絞られた状態にあり、蚊は侵入することができない。また逆に出ることもできない。
砂や小石などが流れ込むと、底穴の絞られた部分は自然に開き、砂や小石は下方に落下し、底穴の絞られた部分は元の状態に戻る。
請求項２の｛蚊の侵入防止網｝は雨水マスの葢を持ち上げることなく設置できる。
【図１】
0003195013.tif 000003
【図２】
0003195013.tif 000004
【手続補正書】
【提出日】平成26年10月21日(2014.10.21)
【手続補正１】
【補正対象書類名】実用新案登録請求の範囲
【補正対象項目名】全文
【補正方法】変更
【補正の内容】
【実用新案登録請求の範囲】
【請求項１】
家屋の周囲の雨水マスまたは廃水ますの蓋の裏に設置して、蚊の通過をふせぐ網を  蚊の侵入防止網  とし、
蚊の侵入防止網  の網目は蚊が通過できない程度の大きさであるとし、
蚊の侵入防止網  の中央部の底の部分が抜けていることを第１の特徴とし、
底の抜けている部分を  底穴  とし、
蚊の侵入防止網  の中央部は設置状態において、  底穴  へ通じる部分は細長く、下方に垂れ下がる形状であるとし、かつ、自然の状態で、細長い部分は網自信の性質によって底穴を塞ぐよう絞られている状態にあることを第２の特徴とし、
上記、細長く絞られた部分を  細長く絞られた空洞部  とし、
細長く絞られた空洞部  は砂や小石が雨水とともに流れ込んだ場合には自然に拡がって砂や小石が下に落ちる性質を持つことを第３の特徴とし、
蚊の侵入防止網  の縁は雨水マスの蓋とその蓋を支える面の間に挟むことで、  蚊の侵入防止網  を設置できる大きさであることを第４の特徴とし、
蚊の侵入防止網  の縁は雨水マスの蓋をはめ込む穴に収めるべく、蓋の外径形状に保つための縁を持つことを第５の特徴とし、
上記第１と第２と第３に加えて  第４と第５のいずれか  の特徴を有するところの、雨水の葢の穴から蚊が出入りできない構造であって、かつ砂や小石などの固形物は雨水の流れとともに、自然に下に落とすことができる雨水マスの蓋の穴の  蚊の侵入防止網  。
【請求項２】
請求項１の特徴５に関連して、  蚊の侵入防止網  の縁は、  雨水マスの蓋の雨水を流し込む穴の縁に掛かって穴の中に入り込まない形状と寸法  であることを第６の特徴とし、
請求項１に記載の  蚊の侵入防止網  であって、  前記、蚊の侵入防止網  の縁が第６の特徴を有するところの、雨水の排水口から蚊が出入りできない構造であって、かつ砂や小石などの固形物は雨水の流れとともに、自然に下に落とすことができる雨水排水口の蓋の穴の  蚊の侵入防止網  。
【手続補正２】
【補正対象書類名】明細書
【補正対象項目名】全文
【補正方法】変更
【補正の内容】
【考案の詳細な説明】
【技術分野】
【０００１】
本考案は、一般家庭の雨水マスの蓋の穴から侵入し、産卵しようとする蚊を侵入しないようにするための網であって、砂や小石が網目に溜まらないようにする構造をもつ。
多くの住宅では雨水マスにボウフラが発生し、初夏から晩秋にかけての蚊対策は面倒な課題である。
日本は、市街地周辺部に一戸建て住宅が多い。建築や住居という観点からの建物の強度や安全性の完成度は高いが、廃水やカビや害虫や台所ゴミなどの、衛生面での完成度は高いとは言えない。
【背景技術】
【０００２】
定期的に薬品を使ってのボウフラ退治。
蚊取り線香を使うなど蚊よけ対策。
皮膚に蚊よけの薬を塗るなどの蚊よけ対策。
【０００３】
特開2011-058276      升蓋貫通孔カバー及びその製造方法
網ではあるが、溜まる砂や小石の対策はない
特開2004-285652      雨水マス
網ではあるが、溜まる砂や小石の対策はない
特開2003-013490      雨水マス汎用・防蚊ネット
網ではあるが、溜まる砂や小石の対策はない
特開平07-224458      防虫網付き雨水桝
網ではあるが、溜まる砂や小石の対策はない
特開平07-127120      桝の網付蓋
網ではあるが、溜まる砂や小石の対策はない
実登3179965          枡、会所のゴミ、土砂及び蚊の防止ネット
網ではあるが、溜まる砂や小石の対策はない
実登3103607          雨水マス用のボウフラ発生防止具
網ではあるが、溜まる砂や小石の対策はない
【考案の開示】
【考案が解決しようとする課題】
【０００４】
毎年、６月から１１月まで、子供が蚊に刺されて、個人差はあるものの、皮膚がただれて治療が必要なケースもある。このような状況は日本中の住宅地のあらゆるところで見受けられる。精密ではないが、調べたところ、雨水の排水のために設けた水を溜める場所が蚊の発生のおもな原因となっているケースが少なくない。２０１３年１０月から雨水を溜める部分の蓋の裏に網を設けたところ、２０１４年の夏、家の周りに集まる蚊が大雑把に見積もって三分の一程度に減った。ところが、蓋の裏に設けた網に大きめの砂や小石がたまり、網が垂れ下がっていることがわかった。一般的に、多くの人は  網に溜まった砂や小石を取り除く  この種類のメンテナンス作業を定期的に行うことは期待できない。できるだけ手間がかからない方法が望まれる。しかもコストがかかると完全な普及には限度がある。
【課題を解決するための手段】
【０００５】
網の中央部を窪ませ、なおかつ、くぼみの底を、砂や小石が下に落下する穴を設ける。窪みに沿って、砂や小石は落下する、か  もしくは雨水の流れで下方へ下方へと流れるが、蚊はこの穴を通過できないよう網の底に細長い絞りを設ける。
【考案の効果】
【０００６】
本考案は、以下に記載されるような効果を生む。
第１に、極めて簡単で安価な方法で、家の周囲の蚊の発生を防ぐことができる。
第２に、網に砂や小石が溜まることなく、一回の設置でこれまでと同様特別なメンテナンスの必要がない。網の耐用年数の間、メンテナンスは不要である。
第３に、化学薬品を使わないので、薬害への配慮が不要。環境への薬品による負荷もない。
【図面の簡単な説明】
【０００７】
【図１】本考案の一実施例の構造説明図
【図２】本考案の一実施例の構造説明図
【実施例】
【０００８】
以下、図面を用いた詳細説明。
図１は請求項１に記述の  蚊の侵入防止網  の一実施例である。
図１（a）の１は雨水マスの断面、２は雨水マスの葢の断面、３は雨水マスの穴、４は本考案の  蚊の侵入防止網  ５は  蚊の侵入防止網  の縁、６は  蚊の侵入防止網  の中央部が自然の状態で絞られている状態を示す。
図１（ｂ）の図１（ａ）と同番号は同じものである。４１は  蚊の侵入防止網  であり、雨水と一緒に入り込んだ砂や小石によって、それらが下方へ落ちることにより底穴が開いた状態である。７はそれを示す。８は落下する砂や小石などである。
蚊の侵入防止網  の中央部の底は自然の状態では絞られて細くなっていることから、底穴も絞られた状態にあり、蚊は侵入することができない。また逆に出ることもできない。
砂や小石などが流れ込むと、底穴の絞られた部分は自然に開き、砂や小石は下方に落下し、底穴の絞られた部分は元の状態に戻る。
【０００９】
図２は請求項２に記述の  蚊の侵入防止網  の一実施例である。
図２の図１と同番号は同じものである。４２は雨水マスの葢に設けた  蚊の侵入防止網  が自然の状態で底穴が絞られた状態を示す。４３は雨水マスの葢に設けた  蚊の侵入防止網  を砂や小石が下方に落下する状態を示す。５２は雨水マス４２の縁、５３は雨水マス４３の縁である。６は  蚊の侵入防止網  の底穴が自然の状態で絞られている状態を示す。７は  蚊の侵入防止網  の底穴の絞られた部分が、雨水と一緒に入り込んだ砂や小石によって、それらが下方へ落ちることにより底穴が開いた状態である。８は落下する砂や小石などである。
蚊の侵入防止網  の中央部の底は自然の状態では絞られて細くなっていることから、底穴も絞られた状態にあり、蚊は侵入することができない。また逆に出ることもできない。
砂や小石などが流れ込むと、底穴の絞られた部分は自然に開き、砂や小石は下方に落下し、底穴の絞られた部分は元の状態に戻る。
請求項２の  蚊の侵入防止網  は雨水マスの葢を持ち上げることなく設置できる。